(57)【要約】      （修正有）【課題】足アーチの拡がりを防止する足カバーを提供する。【解決手段】足カバー１０は、足裏の横アーチを含む足指付け根周囲を左右から内側方向へ押さえる。足カバー１０は、足指付け根周囲を被覆する足指付け根領域１４、足指を被覆する足指領域１８、足指付け根領域１４よりも足首側を覆う上部領域１２、及び足指付け根領域１４よりも足指側を被覆する下部領域１６を備える。そして、足指付け根領域１４は、上部領域１２又は下部領域１６よりも強い力で足指付け根周囲を左右から内側方向へ押さえる。【選択図】図１
0003213544.tif 000002
【実用新案登録請求の範囲】
【請求項１】
足指の付け根の周囲を被覆する第１領域と、
足指を被覆する第２領域と、
を備え、
前記第１領域は、他の領域よりも強い力で前記付け根の周囲を左右から内側方向へ押さえる足カバー。
【請求項２】
前記第１領域は、他の領域よりも１．５倍から２倍の力で前記付け根の周囲を押さえる請求項１記載の足カバー。
【請求項３】
前記付け根から足裏の半分までの領域を被覆する請求項１又は請求項２記載の足カバー。
【請求項４】
拡げると円筒状となって前記第１領域又は他の領域を被覆するように足に装着可能とされ、かつ装飾が施された装飾部材を備える請求項１から請求項３の何れか１項記載の足カバー。
【考案の詳細な説明】
【技術分野】
【０００１】
本考案は、足カバーに関するものである。
【背景技術】
【０００２】
過度な運動の後や、長時間又は長距離での歩行又は走行の後、長時間にわたって立位姿勢を継続した後等に、人は足の疲れを強く感じ易い。特許文献１に記載のように、このような場合の多くは、足アーチが拡がる（崩れる）ことが原因とされる。
【０００３】
この特許文献１には、種々の要因で崩れた足アーチを効果的に回復させることができ、足浴に用いる足アーチ崩れ改善剤として、炭酸塩を５質量％以上７０質量％以下、有機酸を１５質量％以上７０質量％以下、及びＣＧＲＰ応答促進剤を含有するものが開示されている。
【先行技術文献】
【特許文献】
【０００４】
【特許文献１】特開２０１４−２３４３７２号公報
【考案の概要】
【考案が解決しようとする課題】
【０００５】
しかしながら、特許文献１に開示されている足アーチ崩れ改善剤は、既に崩れた足アーチを回復させるものであり、足アーチの拡がりそのものを防止するものではない。足アーチの拡がりを防止できれば、人は足の疲れを感じ難くなる。
【０００６】
本考案は、足アーチの拡がりを防止できる、足カバーを提供することを目的とする。
【課題を解決するための手段】
【０００７】
上記課題を解決するために、本考案の足カバーは以下の手段を採用する。
【０００８】
本考案の一態様に係る足カバーは、足指の付け根の周囲を被覆する第１領域と、足指を被覆する第２領域と、を備え、前記第１領域は、他の領域よりも強い力で前記付け根の周囲を左右から内側方向へ押さえる。
【０００９】
上記「足カバー」には、以下に例示するように、種々の技術的限定を加えてもよい。
【００１０】
前記第１領域は、他の領域よりも１．５倍から２倍の力で前記付け根の周囲を押さえる。
【００１１】
前記付け根から足裏の半分までの領域を被覆する。
【００１２】
拡げると円筒状となって前記第１領域又は他の領域を被覆するように足に装着可能とされ、かつ装飾が施された装飾部材を備える。
【考案の効果】
【００１３】
本考案によれば、足アーチの拡がりを防止できる、という効果を有する。
【図面の簡単な説明】
【００１４】
【図１】本考案の実施形態に係るフットカバーの外観図である。
【図２】本考案の実施形態に係るフットカバーが押さえる領域を示した模式図である。
【図３】本考案の実施形態に係るフットカバーの装着図である。
【図４】本考案の実施形態に係る装飾部材の外観図である。
【考案を実施するための形態】
【００１５】
以下に、本考案に係る足カバー（以下「フットカバー」という。）の一実施形態について、図面を参照して説明する。
【００１６】
〔１．フットカバーの構成〕
図１から図３を参照して、フットカバー１０の構成を説明する。図１は、本実施形態に係るフットカバー１０の外観図であり、図２はフットカバー１０が押さえる領域を示した模式図であり、図３はフットカバー１０の装着図である。
【００１７】
本実施形態に係るフットカバー１０は、足指の付け根（以下「足指付け根」という。）の周囲を左右から内側方向へ押さえるものである。ここで、図２に示されるように、足指付け根の周囲（以下「足指付け根周囲」という。）２０とは、具体的には、第１指（親指）から第５指（小指）に至る足指付け根の下（足首側）の中心領域にあるくぼみ２２を含み、土踏まず２３を略含まない範囲である。
【００１８】
本実施形態に係るフットカバー１０は、一例として、足首の方向から足先の方向へ向かって、上部領域１２、足指付け根領域１４、下部領域１６、及び足指領域１８で形成される。なお、フットカバー１０は、一例として、糸を縦横に組み合わせて作った伸縮性に優れた布地、いわゆる織物であるが、これに限らず、伸縮性に優れた素材で有れば他の素材で形成されてもよい。
【００１９】
足指付け根領域１４は、足指付け根周囲２０を被覆する。なお、被覆するとは、足裏から足の甲にかけて覆うことである。
【００２０】
上部領域１２は、足指付け根領域１４よりも足首側を被覆し、その足首側の端部が折り返されて凸部１２Ａが形成される。
【００２１】
下部領域１６は、足指付け根領域１４よりも足先側を被覆し、その足先側の端部が折り返される共に足指領域１８とされている。
【００２２】
図３に示されるように、フットカバー１０を形成する上部領域１２、足指付け根領域１４、及び下部領域１６は、一例として、使用者の足指付け根から足裏（足の甲）の略半分までの領域を被覆する。
【００２３】
このように、本実施形態に係るフットカバー１０は、足指付け根から足裏の略半分までの領域のみを被覆するので、足首や足の甲が露出するような靴を使用者が履いた場合であっても、フットカバー１０が目立ち難い。なお、足の大きさは、個人差があるため、フットカバー１０が被覆する足の領域は使用者によって若干異なる。また、図３に示されるように、フットカバー１０は、左右対称のものを一対とし、両足に装着されるものであるが、片足のみに装着されてもよい。
【００２４】
本実施形態に係るフットカバー１０は、足に装着されない状態で、上部領域１２が約２ｃｍ、足指付け根領域１４が約３ｃｍ、下部領域１６が約２ｃｍ、足指領域１８が約１ｃｍであるが、これは一例であり、フットカバー１０は、使用者の足に装着された場合に、足指付け根領域１４が図２に示される足指付け根周囲２０に位置するように形成されていればよい。このため、例えば、フットカバー１０は、下部領域１６が無く、下部領域１６の長さ分だけ足指付け根領域１４が長くなり、足指付け根領域１４と足指領域１８とが直接接合するように形成されてもよい。
【００２５】
そして、足指付け根領域１４は、上部領域１２及び下部領域１６又は足指領域１８よりも強い力で足指付け根周囲２０を左右から内側方向（図２の矢印Ａ方向）へ押さえる。例えば、足指付け根領域１４は、他の領域（上部領域１２及び下部領域１６又は足指領域１８）よりも１．５倍から２倍の力で足指付け根周囲２０を押さえる。
【００２６】
すなわち、足指付け根領域１４は、足指付け根周囲２０に対応する足の甲から足裏に至る足の領域を締め付ける。より具体的には、足指付け根領域１４は、母指内転筋を左右から内側方向へ押さえる。
【００２７】
本実施形態に係る足指付け根領域１４は、上部領域１２及び下部領域１６とは異なる織り方が施されることによって、図２の矢印Ａ方向への強い力を生じさせる。なお、矢印Ａ方向への力を生じさせるためには、足指付け根領域１４と他の領域とを異なる織り方とすることに限らず、例えば、足指付け根領域１４に対してゴム等の弾性体が挿入されることで、矢印Ａ方向への力を生じさせてもよい。
【００２８】
足指領域１８は、足指を被覆する。本実施形態に係る足指領域１８は、一例として、フットカバー１０を装着した場合に足先が露出するように形成され、足の第１指と第２指との間が閉じ部１８Ａによって閉じられている。すなわち、足指領域１８において、足の第１指に対応する部分が他の部分と分けられている。
【００２９】
これにより、フットカバー１０を使用者の足に装着した際に、フットカバー１０が必要以上に足首側に位置することを防止でき、足指付け根領域１４の位置が所望の位置、すなわち足指付け根周囲２０に位置することとなる。また、足指領域１８において第１指に対応する部分が他の指に対応する部分と分けられていることにより、使用者がフットカバー１０を装着した場合のフィット感が向上する。
【００３０】
〔２．フットカバーの作用効果〕
次に、フットカバー１０を使用者の足に装着した場合の作用効果を説明する。
【００３１】
ここで、正常な脚は、図２に示されるように、足裏の中心領域にくぼみ２２があり、第３指の付け根と足の両淵とで踏ん張ることができる状態となっている。そして、このくぼみ２２が正常である場合には、第１指の付け根から第５指の付け根を結ぶ線がアーチ状となっている。これは足アーチ（足裏アーチともいう。）のうち横アーチ２４と言われるものである。
【００３２】
そして、長時間歩いたり、立ち続けたり、パンプスを履く等して、足裏に対して無理な方向に力が加わると、足はその力を分散させようと拡がる傾向にある。すなわち、長時間歩く等すると、横アーチ２４が拡がる（崩れる）ことになり、その結果、足に疲れが生じることとなる。
【００３３】
より具体的には、横アーチ２４が拡がることによって、血液やリンパの循環のためのポンプ機能が鈍って足にむくみを生じたり、正常に体を使うことができなくなり、全身がだるくなり、筋肉も疲れやすくなる。さらに、横アーチ２４が拡がることで歩く際に足裏の淵側に体重がかかるので、Ｏ脚や外反母趾、腰痛を誘発し易くなる。
【００３４】
そこで、本実施形態に係るフットカバー１０は、足指付け根領域１４が足裏の横アーチ２４を含む足指付け根周囲２０を左右から内側方向（図２の矢印Ａ方向）へ押さえることによって、横アーチ２４が拡がることを防止する。これにより、フットカバー１０を装着した使用者は、長時間歩く等しても、横アーチ２４の拡がりに起因する足の疲れ等が生じ難くなる。なお、フットカバー１０を装着した使用者は、爪先（足先）重心となって姿勢の悪さが改善されるので、これによっても足の疲れが軽減されることになり、フットカバー１０は美脚効果も生じさせる。
【００３５】
また、フットカバー１０は、次のような作用効果も生じさせる。
【００３６】
フットカバー１０を装着した使用者は、爪先重心によって骨盤が前傾する結果、たれ尻が改善されるので、フットカバー１０はヒップアップの効果を生じさせる。
【００３７】
フットカバー１０を装着した使用者は、上半身の姿勢が良くなって猫背が改善して内臓が引っ張り上げられるので、フットカバー１０はウェストシェイプの効果を生じさせ、また、姿勢矯正の効果も生じさせる。
【００３８】
フットカバー１０を装着した使用者は、爪先重心によって骨盤の角度が正され、鼠径部の張りが改善されてリンパが流れ易くなるので、フットカバー１０はむくみ防止の効果を生じさせる。
【００３９】
フットカバー１０を装着した使用者は、姿勢が改善されることで代謝が上がるので、フットカバー１０はダイエットの効果を生じさせる。
【００４０】
さらに、フットカバー１０は、布製であることから、使用者の汗を吸収するので汗取り効果を有し、フットカバー１０を形成する繊維に抗菌剤や防臭剤をコーティング又は練り込むことによって防臭・抗菌効果を有する。また、フットカバー１０の足指付け根領域１４が母趾を覆うことによって使用者の外反母趾に起因する痛みが軽減される。
【００４１】
〔３．装飾部材〕
本実施形態に係るフットカバー１０は、図４（Ａ）に示されるように、拡げると円筒状となって足指付け根領域１４又は他の領域を被覆するように足に装着可能とされ、かつ装飾が施された装飾部材３０を備える。
【００４２】
装飾部材３０は、フットカバー１０と接合されておらず、一例として、すかし模様等が施された布、いわゆるレースで形成される。そして、装飾部材３０は、伸縮性を有し、拡げると略円筒状となるように形成される。
【００４３】
使用者は、円筒状に拡げた装飾部材３０に対して足を挿入して装飾部材３０を足の甲まで移動させることで、足指付け根領域１４又は上部領域１２を被覆するように装飾部材３０を装着する。図４（Ｂ）の例では、装飾部材３０の足首側の半分はフットカバー１０を覆わず、足先側の半分が上部領域１２から足指付け根領域１４を覆うように使用者に装着されている。より具体的な装飾部材３０の使用例としては、足首や足の甲が露出するような靴を使用者が履いた場合に、フットカバー１０と共に使用される。
【００４４】
このように、使用者は、フットカバー１０と共に装飾部材３０を装着することで、フットカバー１０を使用者が装着した場合のデザイン性が良くなる。また、装飾部材３０がフットカバー１０と接合されていないので、好みに応じて異なる装飾部材３０を使用者が装着することができる。
【００４５】
なお、図４（Ｂ）に示されるように、装飾部材３０は、左右対称のものを一対とし、両足に装着されるものであるが、装飾部材３０は片足のみに装着されてもよい。また、使用者は、自身の好みに応じて左右で異なる模様が施された装飾部材３０を装着してもよい。
【００４６】
以上説明したように、本実施形態に係るフットカバー１０は、足裏の横アーチ２４を含む足指付け根周囲２０を左右から内側方向へ押さえるものである。本実施形態に係るフットカバー１０は、一例として、足指付け根周囲２０を被覆する足指付け根領域１４、足指を被覆する足指領域１８、足指付け根領域１４よりも足首側を覆う上部領域１２、及び足指付け根領域１４よりも足指側を被覆する下部領域１６を備える。そして、足指付け根領域１４は、上部領域１２又は下部領域１６よりも強い力で足指付け根周囲２０を左右から内側方向へ押さえる。
【００４７】
このような構成により、フットカバー１０は、足指付け根領域１４が足裏の横アーチ２４を含む足指付け根周囲２０を左右から内側方向へ押さえるので、横アーチ２４が拡がることを防止する。これにより、フットカバー１０を装着した使用者は、長時間歩く等しても、横アーチ２４の拡がりに起因する足の疲れ等が生じ難くなる。
【００４８】
〔４．他の実施形態〕
以上、本考案を、上記実施形態を用いて説明したが、本考案の技術的範囲は上記実施形態に記載の範囲には限定されない。考案の要旨を逸脱しない範囲で上記実施形態に多様な変更又は改良を加えることができ、該変更又は改良を加えた形態も本考案の技術的範囲に含まれる。
【００４９】
例えば、上記実施形態では、フットカバー１０が足指付け根から足裏の略半分までの領域を被覆する形態について説明したが、本考案はこの形態に限られず、フットカバー１０は足指付け根領域１４が足指付け根周囲２０を被覆できればよく、例えば、フットカバー１０が足指付け根から足首までを被覆してもよい。
【００５０】
また、上記実施形態では、足指領域１８が足先を被覆しない形態について説明したが、本考案はこれに限らず、例えば、足指領域１８が足先まで被覆する形態としてもよい。なお、この形態の場合、足の第１指と第２指との間が閉じられなくてもよい。
【符号の説明】
【００５１】
１０  フットカバー（足カバー）
１２  上部領域（他の領域）
１４  足指付け根領域（第１領域）
１６  下部領域（他の領域）
１８  足指領域（第２領域）
３０  装飾部材
【図１】
0003213544.tif 000003
【図２】
0003213544.tif 000004
【図３】
0003213544.tif 000005
【図４】
0003213544.tif 000006